(57)【要約】【課題】光電変換素子の搭載面とは反対側に非貫通の位置決め穴を形成しても、事前検査を可能にして光モジュールの歩留まりを向上させる。【解決手段】本発明は、（１）一方の面に非貫通の位置決め穴が形成され、他方の面に光電変換素子が搭載され、前記光電変換素子の発光した光、若しくは前記光電変換素子の受光する光を透過可能な透明基板と、位置決めピンを有し、光ファイバを支持し、前記光電変換素子と前記光ファイバとの間の光路を前記透明基板とともに形成する支持部材と、を準備する準備工程と、（２）前記透明基板の前記位置決め穴に前記支持部材の前記位置決めピンを挿入して、前記透明基板と前記支持部材とを位置決めする位置決め工程と、（３）前記位置決め穴のある面とは反対側から透明基板越しに前記位置決め穴を観察する観察工程と、を有することを特徴とする光モジュールの製造方法である。【選択図】図８
2014228585.tif 000002
【特許請求の範囲】
【請求項１】
（１）一方の面に非貫通の位置決め穴が形成され、他方の面に光電変換素子が搭載され、前記光電変換素子の発光した光、若しくは前記光電変換素子の受光する光を透過可能な透明基板と、
位置決めピンを有し、光ファイバを支持し、前記光電変換素子と前記光ファイバとの間の光路を前記透明基板とともに形成する支持部材と、
を準備する準備工程と、
（２）前記透明基板の前記位置決め穴に前記支持部材の前記位置決めピンを挿入して、前記透明基板と前記支持部材とを位置決めする位置決め工程と、
（３）前記位置決め穴のある面とは反対側から透明基板越しに前記位置決め穴を観察する観察工程と、
を有することを特徴とする光モジュールの製造方法。
【請求項２】
請求項１に記載の光モジュールの製造方法であって、
前記位置決め工程の後に行われた前記観察工程の観察画像に基づいて、前記透明基板と前記支持部材との位置決め精度を検査する
ことを特徴とする光モジュールの製造方法。
【請求項３】
請求項２に記載の光モジュールの製造方法であって、
前記位置決めピンはテーパ面を有しており、
前記観察画像における前記位置決め穴と前記位置決めピンの根元との位置関係に応じて、前記位置決め精度が検査される
ことを特徴とする光モジュールの製造方法。
【請求項４】
請求項３に記載の光モジュールの製造方法であって、
前記位置決めピンの根元の周りに凹部が形成されている
ことを特徴とする光モジュールの製造方法。
【請求項５】
請求項１〜４のいずれかに記載の光モジュールの製造方法であって、
前記観察工程の観察画像に基づいて前記透明基板と前記支持部材とを前記透明基板の前記面に平行な方向に位置合わせした後に、前記位置決め工程が行われる
ことを特徴とする光モジュールの製造方法。
【請求項６】
請求項５に記載の光モジュールの製造方法であって、
前記位置決めピンの頂部にアライメントマークが形成されており、
前記観察画像における前記位置決め穴と前記アライメントマークとの位置関係に応じて、前記透明基板と前記支持部材との位置合わせが行われる
ことを特徴とする光モジュールの製造方法。
【請求項７】
請求項１〜６のいずれかに記載の光モジュールの製造方法であって、
前記観察工程の観察画像に基づいて前記透明基板における前記位置決め穴の位置が検査され、検査後の前記透明基板が前記準備工程で準備される
ことを特徴とする光モジュールの製造方法。
【請求項８】
請求項７に記載の光モジュールの製造方法であって、
前記光電変換素子への配線とともに形成されたアライメントマークが前記一方の面に形成されており、
前記観察画像における前記位置決め穴と前記アライメントマークとの位置関係に応じて、前記光電変換素子に対する前記位置決め穴の位置が検査される
ことを特徴とする光モジュールの製造方法。
【請求項９】
光電変換素子が搭載される搭載面にメタルパターンによる配線が形成され、前記搭載面とは反対側の面に非貫通の位置決め穴が形成され、前記光電変換素子の発光した光、若しくは前記光電変換素子の受光する光を透過可能な透明基板と、
位置決めピンを有し、光ファイバを支持し、前記光電変換素子と前記光ファイバとの間の光路を前記透明基板とともに形成する支持部材と、
を有する光モジュールであって、
前記搭載面における前記位置決め穴の裏側の領域には前記配線は形成されておらず、前記搭載面の側から前記位置決め穴を観察可能である
ことを特徴とする光モジュール。
【請求項１０】
請求項９に記載の光モジュールであって、
前記搭載面における前記位置決め穴の裏側の領域に、前記配線とともに形成されたアライメントマークが形成されている
ことを特徴とする光モジュール。
【請求項１１】
請求項９又は１０に記載の光モジュールであって、
前記位置決め穴として基準穴及び長穴が形成されており、
前記長穴は、その長手方向が前記基準穴と前記長穴とを結ぶ線に沿うように形成されており、
前記搭載面における前記基準穴の裏側の領域には前記配線は形成されておらず、前記搭載面の側から前記基準穴を観察可能である
ことを特徴とする光モジュール。
【発明の詳細な説明】
【技術分野】
【０００１】
本発明は、光モジュールの製造方法及び光モジュールに関する。
【背景技術】
【０００２】
光ファイバを用いた高速光通信の分野では、電気信号と光信号とを相互に変換する部品として光トランシーバが用いられている。光トランシーバを取り扱う業界団体で取り決められたＭＳＡ（Multi Source Agreement）により、プラガブル光トランシーバの仕様（形状・寸法・ピンアサインなど）が標準化されている。これらのプラガブル光トランシーバによれば、通信機器側（ホスト側）のメイン基板上にケージが設置され、光電変換素子や回路基板を内蔵した光モジュールがケージに着脱可能に挿入される。光モジュールがケージに挿入されると、ケージ内の電気インターフェースコネクタに対して光モジュール内の回路基板が電気的・機械的に接続される。これにより、光ファイバで送受される光信号と、通信機器側のメイン基板で処理される電気信号が、光モジュール内の光電変換素子や回路基板によって相互に変換可能になる。
【０００３】
特許文献１には、基板（符号１）の上面に光電変換素子（光デバイス２）が搭載されており、基板の下面側から位置決め穴（符号１１）に位置決めピン（符号９）を挿入して基板と光コネクタとを位置決めすることによって、光電変換素子の光軸と光コネクタのレンズ（符号３）との光軸を合わせることが記載されている。
【先行技術文献】
【特許文献】
【０００４】
【特許文献１】特開２００５−１７６８４号公報
【発明の概要】
【発明が解決しようとする課題】
【０００５】
特許文献１では、位置決め穴が基板に貫通穴として形成されている。この場合、基板の上面（光電変換素子の搭載面）に開口が形成されるので、基板の上面の素子や配線の配置に制約が生じる。一方、位置決め穴を非貫通穴にした場合、基板の上面の素子や配線の配置の制約が軽減されるが、位置決め穴が基板の上面（光電変換素子の搭載面）とは反対側に位置するため、光電変換素子に対する位置決め穴の位置を検査したり、位置決め穴によって位置決めされる部材の位置を事前検査したりすること等が困難になる。しかし、事前検査を行わずに製造後の光モジュールを検査するだけでは、光モジュールの不良率が高くなり（歩留まりが低くなり）、製造工程に無駄が多い。
【０００６】
本発明は、光電変換素子の搭載面とは反対側に形成された非貫通の位置決め穴を事前検査可能にし、光モジュールの歩留まりを向上させることを目的とする。
【課題を解決するための手段】
【０００７】
上記目的を達成するための主たる発明は、（１）一方の面に非貫通の位置決め穴が形成され、他方の面に光電変換素子が搭載され、前記光電変換素子の発光した光、若しくは前記光電変換素子の受光する光を透過可能な透明基板と、位置決めピンを有し、光ファイバを支持し、前記光電変換素子と前記光ファイバとの間の光路を前記透明基板とともに形成する支持部材と、を準備する準備工程と、（２）前記透明基板の前記位置決め穴に前記支持部材の前記位置決めピンを挿入して、前記透明基板と前記支持部材とを位置決めする位置決め工程と、（３）前記位置決め穴のある面とは反対側から透明基板越しに前記位置決め穴を観察する観察工程と、を有することを特徴とする光モジュールの製造方法である。
【０００８】
本発明の他の特徴については、後述する明細書及び図面の記載により明らかにする。
【発明の効果】
【０００９】
本発明によれば、光電変換素子の搭載面とは反対側に形成された非貫通の位置決め穴を事前検査可能にし、光モジュールの歩留まりを向上させることができる。
【図面の簡単な説明】
【００１０】
【図１】図１は、プラガブル光トランシーバの説明図である。
【図２】図２Ａは、光モジュール１のハウジング１Ａ内の回路基板１０等を斜め上から見た斜視図である。図２Ｂは、回路基板１０等を斜め下から見た斜視図である。
【図３】図３は、光モジュール１の概略構成図である。
【図４】図４Ａ及び図４Ｂは、位置決め穴２３と位置決めピン４３の断面図である。
【図５】図５Ａは、位置決めピン４３の根元近傍の拡大図である。図５Ｂは、参考例の位置決めピン４３の根元近傍の拡大図である。図５Ｃは、参考例の位置決めピン４３の根元近傍の拡大図である。
【図６】図６は、光モジュール１の製造方法のフロー図である。
【図７】図７Ａ及び図７Ｂは、位置決め穴２３に位置決めピン４３を挿入し、ガラス基板２０と光路変換器４０とを位置決めする様子の概略説明図である。
【図８】図８は、Ｓ００３での観察の様子の説明図である。
【図９】図９Ａ及び図９Ｂは、上側からガラス基板２０越しに位置決め穴２３を観察したときの観察画像（写真）である。図９Ａは、正常時の観察画像である。図９Ｂは、異常時の観察画像である。
【図１０】図１０は観察画像（写真）の状況説明図である。
【図１１】図１１は、図１０を線図で表したものである。
【図１２】図１２Ａは、図９Ａの観察画像の輪郭抽出画像であり、正常時の輪郭抽出画像である。図１２Ｂは、図９Ｂの観察画像の輪郭抽出画像であり、異常時の輪郭抽出画像である。
【図１３】図１３は、光路変換器４０の固定方法の説明図である。
【図１４】図１４は、第２実施形態の光モジュール１の製造方法のフロー図である。
【図１５】図１５Ａは、Ｓ１０２での観察の様子の説明図である。図１５Ｂは、第２実施形態の位置決めピン４３の説明図である。
【図１６】図１６Ａ及び図１６Ｂは、位置合わせしない状態で位置決め穴２３に位置決めピン４３を挿入した場合の比較例の説明図である。
【図１７】図１７は、第３実施形態の光モジュール１の製造方法のフロー図である。
【図１８】図１８は、Ｓ２０１での検査の様子の説明図である。
【図１９】図１９は、Ｓ２０１の観察画像（写真）である。
【図２０】図２０は、図１９の観察画像の説明図である。
【図２１】図２１は、第４実施形態の位置決め穴の説明図である。
【発明を実施するための形態】
【００１１】
後述する明細書及び図面の記載から、少なくとも以下の事項が明らかとなる。
【００１２】
（１）一方の面に非貫通の位置決め穴が形成され、他方の面に光電変換素子が搭載され、前記光電変換素子の発光した光、若しくは前記光電変換素子の受光する光を透過可能な透明基板と、位置決めピンを有し、光ファイバを支持し、前記光電変換素子と前記光ファイバとの間の光路を前記透明基板とともに形成する支持部材と、を準備する準備工程と、（２）前記透明基板の前記位置決め穴に前記支持部材の前記位置決めピンを挿入して、前記透明基板と前記支持部材とを位置決めする位置決め工程と、（３）前記位置決め穴のある面とは反対側から透明基板越しに前記位置決め穴を観察する観察工程と、を有することを特徴とする光モジュールの製造方法が明らかとなる。  
このような製造方法によれば、光電変換素子の搭載面とは反対側に形成された非貫通の位置決め穴を事前検査することが可能になり、光モジュールの歩留まりを向上させることができる。
【００１３】
前記位置決め工程の後に行われた前記観察工程の観察画像に基づいて、前記透明基板と前記支持部材との位置決め精度を検査することが望ましい。これにより、前記透明基板の前記位置決め穴に前記支持部材の前記位置決めピンを挿入した状態で、前記透明基板と前記支持部材との位置決め精度を検査できる。
【００１４】
前記位置決めピンはテーパ面を有しており、前記観察画像における前記位置決め穴と前記位置決めピンの根元との位置関係に応じて、前記位置決め精度が検査されることが望ましい。位置決めピンがテーパ面を有することによって、観察画像における位置決め穴と位置決めピンの根元とを識別し易くなる。
【００１５】
前記位置決めピンの根元の周りに凹部が形成されていることが望ましい。凹部が形成されることによって、観察画像における位置決め穴と位置決めピンの根元とを更に識別し易くなる。
【００１６】
前記観察工程の観察画像に基づいて前記透明基板と前記支持部材とを前記透明基板の前記面に平行な方向に位置合わせした後に、前記位置決め工程が行われることが望ましい。これにより、透明基板と支持部材との位置決め精度が高くなる。
【００１７】
前記位置決めピンの頂部にアライメントマークが形成されており、前記観察画像における前記位置決め穴と前記アライメントマークとの位置関係に応じて、前記透明基板と前記支持部材との位置合わせが行われることが望ましい。これにより、前記透明基板と前記支持部材との位置合わせが容易になる。
【００１８】
前記観察工程の観察画像に基づいて前記透明基板における前記位置決め穴の位置が検査され、検査後の前記透明基板が前記準備工程で準備されることが望ましい。これにより、光電変換素子の搭載面とは反対側に形成された非貫通の位置決め穴を有する透明基板を事前検査でき、光モジュールの歩留まりを向上させることができる。
【００１９】
前記光電変換素子への配線とともに形成されたアライメントマークが前記一方の面に形成されており、前記観察画像における前記位置決め穴と前記アライメントマークとの位置関係に応じて、前記光電変換素子に対する前記位置決め穴の位置が検査されることが望ましい。これにより、位置決め穴の位置の検査が容易になる。
【００２０】
光電変換素子が搭載される搭載面にメタルパターンによる配線が形成され、前記搭載面とは反対側の面に非貫通の位置決め穴が形成され、前記光電変換素子の発光した光、若しくは前記光電変換素子の受光する光を透過可能な透明基板と、位置決めピンを有し、光ファイバを支持し、前記光電変換素子と前記光ファイバとの間の光路を前記透明基板とともに形成する支持部材と、を有する光モジュールであって、前記搭載面における前記位置決め穴の裏側の領域には前記配線は形成されておらず、前記搭載面の側から前記位置決め穴を観察可能であることを特徴とする光モジュールが明らかとなる。  
このような光モジュールによれば、光電変換素子の搭載面とは反対側に形成された非貫通の位置決め穴を搭載面の側から検査可能である。
【００２１】
前記搭載面における前記位置決め穴の裏側の領域に、前記配線とともに形成されたアライメントマークが形成されていることが望ましい。これにより、位置決め穴とともにアライメントマークを観察することが可能である。
【００２２】
前記位置決め穴として基準穴及び長穴が形成されており、前記長穴は、その長手方向が前記基準穴と前記長穴とを結ぶ線に沿うように形成されており、前記搭載面における前記基準穴の裏側の領域には前記配線は形成されておらず、前記搭載面の側から前記基準穴を観察可能であることが望ましい。これにより、２つの位置決め穴のうち、位置決め精度に寄与する方の位置決め穴を検査することが可能である。
【００２３】
＝＝＝第１実施形態＝＝＝
＜全体構成＞
図１は、プラガブル光トランシーバの説明図である。なお、光送信器と光受信機の両方を備えるものを光トランシーバと呼ぶことがあるが、ここでは一方のみ備えるものも光トランシーバと呼ぶ。図中のプラガブル光トランシーバは、ＭＳＡ（Multi Source Agreement）で規定されたＱＳＦＰタイプ（ＱＳＦＰ：Quad Small Form Factor Pluggable）のものである。プラガブル光トランシーバは、光モジュール１と、ケージ２とを有する。
【００２４】
図中には、２種類の光モジュール１が描かれている。図に示すように、光モジュール１には、光ファイバ（コードを含む）が固定されていても良いし、着脱可能でも良い。図中の２つのケージ２のうちの一方は、ヒートシンク３が取り外されるとともに、内部が見えるように一部破断されて、描かれている。
【００２５】
以下の説明では、図１に示すように、前後、上下及び左右を定義する。すなわち、光モジュール１を挿入するケージ２の挿入口側を「前」とし、逆側を「後」とする。光モジュール１においては、光ファイバ（コードを含む）が延び出る側を「前」とし、逆側を「後」とする。また、ケージ２が設けられるメイン基板から見て、ケージ２が設けられる面の側を「上」とし、逆側を「下」とする。また、前後方向と上下方向と直交する方向を「左右」とする。
【００２６】
通信機器側（ホスト側）のメイン基板上にはケージ２が設置されている。ケージ２は、例えばデータセンター内のブレードサーバのメイン基板上に設けられる。
【００２７】
光モジュール１は、ケージ２に着脱可能に挿入される。光モジュール１は、ハウジング１Ａ内に光電変換素子３１や回路基板１０を内蔵しており、光ファイバで送受される光信号と、通信機器側のメイン基板で処理される電気信号とを相互に変換する。
【００２８】
ケージ２は、光モジュール１を着脱可能に収容する。ケージ２は、光モジュール１を挿入するための挿入口を前側に備え、前後方向に長い断面矩形の箱形部材である。このケージ２は、前側を開放するように金属板を折り曲げ加工して形成される。金属板が断面矩形状に折り曲げ加工されることにより、光モジュール１を収容するための収容部がケージ２内に形成されている。ケージ２の内部の後側には、コネクタ２Ａが設けられている。光モジュール１がケージ２に挿入されると、ケージ２内のコネクタ２Ａに対して光モジュール１内の回路基板が電気的・機械的に接続される。これにより、光モジュール１とメイン基板との間で電気信号が伝送される。
【００２９】
ケージ２の上面には開口部があり、その開口部を塞ぐようにヒートシンク３が取り付けられている。ヒートシンク３は、ケージ２に挿入された光モジュール１の熱を外部に放熱するための多数の放熱フィン（放熱ピン）を備えている。
【００３０】
＜光モジュール１の内部構成＞
図２Ａは、光モジュール１のハウジング１Ａ内の回路基板１０等を斜め上から見た斜視図である。図２Ｂは、回路基板１０等を斜め下から見た斜視図である。図３は、光モジュール１の概略構成図である。
【００３１】
図に示すように、光モジュール１は、ハウジング１Ａ内に、回路基板１０と、ガラス基板２０と、光路変換器４０とを備えている。
【００３２】
回路基板１０は、電子回路を構成する板状のプリント基板である。回路基板１０の後側端部には、ケージ２内のコネクタ２Ａ（コネクタソケット）と接続するための接続部１１（カードエッジコネクタ）が形成されている。接続部１１は回路基板１０の上下両面に形成されており、多数の端子が左右方向に並んで形成されている。
【００３３】
回路基板１０には、光路変換器４０を収容するための収容窓１２が形成されている。また、この収容窓１２を囲むように、回路基板１０の上面には回路基板側電極１３が形成されている。回路基板１０の上面には、収容窓１２を塞ぐように、ガラス基板２０が搭載されている。言い換えると、ガラス基板２０の下側に回路基板１０の収容窓１２が位置しており、ガラス基板２０の下面で回路基板１０の収容窓１２が塞がれている。ガラス基板２０の下面にはガラス基板側電極２２が形成されており、回路基板側電極１３とガラス基板側電極２２とを接続しつつ、回路基板１０の収容窓１２を塞ぐようにガラス基板２０を回路基板１０に搭載している。
【００３４】
収容窓１２は、回路基板１０に形成された貫通穴（開口）である。この収容窓１２に光路変換器４０の上部が挿入されている。光路変換器４０の下部は収容窓１２から下側に突出しており、この突出した部分から前側に光ファイバ５０が延び出ている。但し、光路変換器４０が回路基板１０より薄い場合、光路変換器４０の下部は収容窓１２から下側に突出しない。この場合、反射部４２が光を鈍角に反射するように構成されると、光路変換器４０から光ファイバ５０を引き出しやすくなる。
【００３５】
ガラス基板２０は、光を透過可能な透明なガラス製基板である。ガラス基板２０は、例えば石英ガラスやホウ珪酸ガラス等のガラス材料から構成され、ここではホウ珪酸ガラスが採用されている。ガラス基板２０には、回路基板１０の収容窓１２の形状に沿って、複数の貫通ビア２１が形成されている。
【００３６】
ガラス基板２０の下面（発光部３１を搭載する搭載面とは反対側の面）には、ガラス基板側電極２２が形成されている。ガラス基板側電極２２は、貫通ビア２１の外側に形成されている。また、ガラス基板側電極２２は、回路基板１０の収容窓１２の外側に沿うように、形成されている。ガラス基板側電極２２は、回路基板１０の上面の回路基板側電極１３と電気的に接続されることになる。貫通ビア２１は、ガラス基板側電極２２と発光部３１及び駆動素子３２との間の配線に用いられている。
【００３７】
ガラス基板２０の下面には、光路変換器４０を位置決めするための２つの位置決め穴２３が形成されている。この位置決め穴２３は、ガラス基板２０を貫通しておらず、非貫通穴となるように形成されている。位置決め穴２３を非貫通穴にすることによって、位置決め穴２３の上側に部品（例えば駆動素子３２）を搭載したり、その部品への配線を配置したりすることが可能になり、ガラス基板２０の上面における部品搭載や配線２７の自由度が高くなる。
【００３８】
ガラス基板２０の上面には発光部３１や駆動素子３２等を実装するため、メタルパターンによる配線２７が形成されている。但し、位置決め穴２３の上方の領域（搭載面における位置決め穴２３の裏側の領域；位置決め穴２３と対向する搭載面の領域）には、メタルパターンによる配線２７は形成されていない。これは、ガラス基板２０の上側からガラス基板２０越しに位置決め穴２３を観察するためである。なお、図３では、後側の位置決め穴２３の上方に駆動素子３２が描かれているが、後側の位置決め穴２３の上方には２つの駆動素子３２の間の隙間があり（図２Ａ参照）、この隙間からガラス基板２０越しに位置決め穴２３を観察可能である。
【００３９】
ガラス基板２０の上面には、発光部３１が実装されている。また、発光部３１を駆動するための駆動素子３２も、ガラス基板２０の上面（発光部３１の搭載面）に実装されている。発光部３１と駆動素子３２は、貫通ビア２１の内側に配置されている。言い換えると、発光部３１と駆動素子３２は、回路基板１０の収容窓１２の上側に位置するように、ガラス基板２０の上面に実装されている。
【００４０】
発光部３１は、光信号と電気信号とを変換する光電変換素子である。ここでは、発光部３１として、基板に垂直な光を出射するＶＣＳＥＬ（Vertical Cavity Surface Emitting Laser：垂直共振器面発光レーザ）が採用されている。なお、光電変換素子として、光信号を電気信号に変換する受光部がガラス基板２０に実装されても良い。また、発光部と受光部の両方がガラス基板２０に実装されても良い。
【００４１】
発光部３１の発光部側電極３１Ａと発光面３１Ｂは、下面（ガラス基板２０の側の面）に形成されている。発光部３１は、ガラス基板２０にフリップチップ実装されており、ガラス基板２０に向かって光を照射する。発光部３１の発光部側電極３１Ａと発光面３１Ｂが同じ側（ガラス基板２０の側となる下面）に位置しているため、発光部３１をガラス基板２０にフリップチップ実装すれば、発光面３１Ｂがガラス基板２０の側を向き、発光面３１Ｂが外部に露出しないことになる。
【００４２】
なお、図３には発光部３１の発光面３１Ｂが１つ描かれているが、発光部３１は、紙面と垂直な方向に並ぶ複数（例えば４つ）の発光面３１Ｂを備えている。
【００４３】
光路変換器４０は、発光部３１から照射された光の光路を変換する光学部品である。また、光路変換器４０は、光ファイバ５０の一端を支持し、発光部３１と光ファイバ５０との間の光路を透明基板と共に形成する支持部材としても機能する。光路変換器４０は、ガラス基板２０に対して位置決めされて取り付けられる部材である。光路変換器４０は、回路基板１０の下側から収容窓１２に挿入されている。
【００４４】
光路変換器４０は、レンズ部４１と、反射部４２とを備えている。レンズ部４１は、光路変換器４０の上面に形成されている。反射部４２は、光路変換器４０の下面に形成されている。
【００４５】
レンズ部４１は、光を集束させられるように凸レンズ状に形成された部位である。但し、レンズ部４１は、光路変換器４０の上面から突出しないように、上面から窪んだ凹部に形成されている。レンズ部４１を光路変換器４０の上面から窪ませて形成されているので、レンズ部４１がガラス基板２０の下面に接触してしまうことを回避している。レンズ部４１は、発光部３１の照射した光を集束させて反射部４２に導き、光を光ファイバ５０に入射させる。ガラス基板２０に受光部が実装されている場合には、レンズ部４１は、反射部４２から反射された光を受光部に集束させることになる。レンズ部４１は、ガラス基板２０を挟んで発光部３１の発光面３１Ｂと対向している。
【００４６】
反射部４２は、光を反射させるための部位である。発光部３１から照射された光の光軸は上下方向（回路基板１０やガラス基板２０などの基板に垂直な方向）であるが、反射部４２で反射された光の光軸は前後方向（回路基板１０やガラス基板２０などの基板に平行な方向）になる。反射部４２で反射された光は、光路変換器４０に取り付けられた光ファイバ５０に入射する。ガラス基板２０に受光部が実装されている場合には、反射部４２は、光ファイバ５０から出射した光を反射してレンズ部４１に導き、受光部に集束させることになる。
【００４７】
なお、図中の反射部４２は、反射光の光軸が前後方向（回路基板１０やガラス基板２０などの基板に平行な方向）になるように描かれている。但し、反射部４２は、９０度に光を反射するものに限られない。反射部４２が光を鈍角（例えば１００度程度）に反射するように構成されていても良い。光軸が上下方向（回路基板１０やガラス基板２０などの基板に垂直な方向）であった光が前後方向（回路基板１０やガラス基板２０などの基板に平行な方向）の成分を持つように反射されれば良い。例えば、光ファイバ５０の根元が光路変換器４０の比較的上部にある場合や、光路変換器４０の厚さが回路基板１０の厚さよりも薄い場合に、光路変換器４０から光ファイバ５０を引き出しやすくするため、反射部４２が光を鈍角に反射するように構成すると良い。
【００４８】
光ファイバ５０は、光路変換器４０のレンズ部４１及び反射部４２に対して所定の位置関係になるように位置合わせされて取り付けられている。
【００４９】
図中の光路変換器４０には、光が入射する部位だけにレンズ部４１が設けられている。但し、光が出射する部位（光ファイバ５０の端部と対向する部位）にもレンズ部を設け、光路変換器４０が２つのレンズ部を備えても良い。そして、２つのレンズ部をコリメータレンズとすれば、光路変換器４０の中で平行光を伝搬させることができる。
【００５０】
光路変換器４０の上面には、ガラス基板２０の位置決め穴２３に挿入するための２つの位置決めピン４３が突出して形成されている。光路変換器４０の位置決めピン４３がガラス基板２０の位置決め穴２３に嵌合することによって、光路変換器４０のレンズ部４１の光軸とガラス基板２０に実装された発光部３１の光軸との位置合わせが行われる。
【００５１】
光路変換器４０は、樹脂により一体成形されている。つまり、光路変換器４０のレンズ部４１、反射部４２及び位置決めピン４３は、樹脂により一体的に形成されている。また、光路変換器４０は、光を透過可能な樹脂により成型され、ここではポリエーテルイミド樹脂が用いられている。
【００５２】
なお、光路変換器４０は、反射部４２の面積を確保するため、また、光ファイバ５０の端部を接続するための面積を確保するため、他と比べると厚い部品になっている。しかし、厚みのある光路変換器４０の上部を収容窓１２の中に配置させることによって、回路基板１０、ガラス基板２０及び光路変換器４０を単に積み重ねて配置した場合（若しくは、中継基板を介してガラス基板２０及び光路変換器４０を回路基板１０に取り付けた場合）と比べて、光モジュールの低背化が実現されている。
【００５３】
＜位置決め穴２３と位置決めピン４３について＞
図４Ａ及び図４Ｂは、位置決め穴２３と位置決めピン４３の断面図である。
ガラス基板２０には、非貫通の位置決め穴２３が形成されている。位置決め穴２３を非貫通穴にすることによって、ガラス基板２０の上面における部品搭載や配線２７の自由度が高くなる。ガラス基板２０への位置決め穴２３の形成方法には、低コストのサンドブラスト加工が採用されている。サンドブラスト加工によってガラス基板２０に非貫通穴を形成しているため、位置決め穴２３は奥の窄まった形状になる。
【００５４】
光路変換器４０にはテーパ面４３Ａを有する円錐台形状の位置決めピン４３が形成されている。位置決めピン４３のテーパ面４３Ａが位置決め穴２３の開口（縁）と隙間無く接触できるので、位置決めピン４３の軸方向に垂直な方向の位置決め誤差を抑制でき、光軸の位置ずれ誤差を抑制できる。
【００５５】
位置決め穴２３の開口径と、位置決めピン４３の根元の径は、ほぼ同じである。但し、位置決めピン４３のテーパ面４３Ａを位置決め穴２３の開口（縁）に接触させるため、位置決め穴２３の開口径が位置決めピン４３の根元の径を越えないように、それぞれの径の公差が定められている。つまり、テーパ面４３Ａを有する位置決めピン４３の根元の径は、位置決め穴２３の開口径よりも大きい。このため、位置決め部材（位置決め穴２３及び位置決めピン４３）を上側から見ると、位置決めピン４３の根元の角部は、位置決め穴２３の開口部の縁よりも外側に位置することになる。
【００５６】
図５Ａは、位置決めピン４３の根元近傍の拡大図である。
図５Ａに示すように、位置決めピン４３の根元の周りを囲むように、光路変換器４０の上面に環状の凹部４３Ｂが形成されている。更に、凹部４３Ｂの内側の側壁面は、円錐台形状の位置決めピン４３のテーパ面４３Ａの延長面になっている。つまり、位置決めピン４３のテーパ面４３Ａが光路変換器４０の上面よりも内側（位置決めピン４３の突出する側と反対側）まで形成されている。
位置決めピン４３の根元に凹部４３Ｂを形成することによって、上側から見たときに、位置決め穴２３の開口部の縁（Ａ）と、位置決めピン４３の根元の角部（Ｂ）との間隔Ｌが大きくなる（図５Ａ参照）。言い換えると、テーパ面４３Ａを有する位置決めピン４３の根元の径と、位置決め穴２３の開口径との差が大きくなる。これにより、後述するように、上側からガラス基板２０越しに位置決め穴２３を観察したときに、位置決め穴２３の開口部の縁（Ａ）と、位置決めピン４３の根元の角部（Ｂ）とを識別しやすくなる。
【００５７】
図５Ｂは、参考例の位置決めピン４３の根元近傍の拡大図である。参考例の位置決めピン４３には、凹部４３Ｂが形成されていない。この結果、上側から見たときに、位置決め穴２３の開口部の縁と、位置決めピン４３の根元の角部との間隔Ｌが小さくなり、両者を識別しにくくなる。
【００５８】
図５Ｃは、参考例の位置決めピン４３の根元近傍の拡大図である。光路変換器４０は透明樹脂によって一体的に成形されており、位置決めピン４３も光路変換器４０の他の部位と一体的に成形されているため、図５Ｃに示すように、位置決めピン４３の根元の角部（図中の矢印で示す部分）が丸みを帯びてしまうことがある。この丸みは、位置決めピン４３の周囲に均等に形成されるわけではないため（位置決めピン４３の根元の丸みは制御できないため）、この部分が位置決め穴２３に接触すると、位置決め穴２３や位置決めピン４３の軸方向に垂直な方向の位置ずれの要因になり、ガラス基板２０側の光軸（発光部３１から照射される光の光軸）と、光路変換器４０側の光軸（レンズ部４１の光軸）との位置ずれの要因になり得る。これに対し、図５Ａに示すように、位置決めピン４３の根元の周りを囲むように、光路変換器４０の上面に環状の凹部４３Ｂが形成されていれば、位置決めピン４３の根元の角部が丸みを帯びても、位置決めピン４３の根元の丸みを帯びた角部が位置決め穴２３に接触することを防ぐことができるという効果が得られる。
加えて、位置決め穴２３と位置決めピン４３とが接触したときに摩耗粉が発生しても、摩耗粉が凹部４３Ｂに入り込むため、摩耗粉が位置決めを阻害することを抑制できるという効果も得られる。
【００５９】
＜光モジュール１の製造方法＞
図６は、光モジュール１の製造方法のフロー図である。図７Ａ及び図７Ｂは、位置決め穴２３に位置決めピン４３を挿入し、ガラス基板２０と光路変換器４０とを位置決めする様子の概略説明図である。
【００６０】
まず、光モジュール１を構成する部品を準備する（Ｓ００１）。準備する部品は、ガラス基板２０を上面に搭載した回路基板１０と、光路変換器４０である。図７Ａ及び図７Ｂに示すように、回路基板１０には収容窓１２が形成されており、この収容窓１２を塞ぐように、ガラス基板２０が回路基板１０の上面に搭載されている。ガラス基板２０の下面には、非貫通の位置決め穴２３が形成されており、ガラス基板２０の上面には、光電変換素子として発光部３１が搭載されている。光路変換器４０の上面には位置決めピン４３が形成されている。Ｓ００１の作業は、作業者の手で行われても良いし、組み立て機によって行われても良い。
【００６１】
次に、ガラス基板２０と光路変換器４０とを位置決めする（Ｓ００２）。このとき、図７Ａ及び図７Ｂに示すように、光路変換器４０の上部を回路基板１０の収容窓１２の中に配置させながら、ガラス基板２０の位置決め穴２３に光路変換器４０の位置決めピン４３を挿入することによって、ガラス基板２０と光路変換器４０とを位置決めする。Ｓ００２の作業は、作業者の手で行われても良いし、組み立て機によって行われても良い。
【００６２】
次に、カメラがガラス基板２０の上側（位置決め穴２３のある面とは反対側）から、ガラス基板２０越しに位置決め穴２３を観察する（Ｓ００３）。
【００６３】
図８は、Ｓ００３での撮影の様子の説明図である。第１実施形態では、位置決め穴２３に位置決めピン４３が挿入されている状態で、ガラス基板２０越しに位置決め穴２３を観察することになる。
【００６４】
ガラス基板２０の上面には発光部３１や駆動素子３２等を実装するため、メタルパターンによる配線２７が形成されている。また、メタルパターンを保護するための保護膜２８も形成されている。但し、位置決め穴２３の上方の領域（搭載面における位置決め穴２３の裏側の領域；位置決め穴２３と対向する搭載面の領域）には、メタルパターンによる配線２７は形成されていない。これにより、ガラス基板２０の上側からガラス基板２０越しに位置決め穴２３を観察することが可能になる。なお、ガラス基板２０の上側からガラス基板２０越しに位置決め穴２３を観察することが可能であれば、位置決め穴２３の上方に透明（又は半透明）の保護膜２８を形成しても良い。
【００６５】
Ｓ００３では、ガラス基板２０の上側で位置決め穴２３と対向するようにカメラを設置し、位置決め穴２３の開口部の縁と、位置決めピン４３の根元の角部とが観察範囲に含まれるように、カメラを設定する。また、位置決め穴２３の開口部の縁と、位置決めピン４３の根元の角部とが撮像されるように、カメラの焦点面を位置決め穴２３の開口部（ガラス基板２０の下面）の近傍に合わせる。
【００６６】
図９Ａ及び図９Ｂは、上側からガラス基板２０越しに位置決め穴２３を観察したときの観察画像（写真）である。図９Ａは、正常時の観察画像である。図９Ｂは、異常時（位置決めピン４３がずれて挿入されているとき）の観察画像である。図１０は観察画像（写真）の状況説明図である。図１０の上側の写真はＳ００３で観察された観察画像であり、下側の写真は断面写真である。図１０の下側の写真は、Ｓ００３で観察された写真ではなく、上側の観察画像を説明するための参考写真である。図１１は、図１０を線図で表したものである。
【００６７】
図９Ａ及び図９Ｂの観察画像の中央の濃度の濃い領域は、位置決め穴２３の開口部よりも内側の領域である。位置決め穴２３はガラス基板２０にサンドブラスト加工で形成されており、位置決め穴２３の内面にチッピングと呼ばれる微小な凹凸が形成されているため、濃度の濃い領域の輪郭が粗くなっている。位置決めピン４３は、樹脂成形で形成されており、サンドブラスト加工と比べると加工精度が高いため、位置決めピン４３の凹部４３Ｂの輪郭は滑らかである。
【００６８】
位置決めピン４３がテーパ面４３Ａを有しており、テーパ面４３Ａを有する位置決めピン４３の根元の径が、位置決め穴２３の開口径よりも大きいため（位置決め穴２３の開口径が位置決めピン４３の根元の径を越えないようにそれぞれの径の公差が定められているため）、位置決めピン４３の根元の角部が位置決め穴２３の開口部の縁よりも外側に位置するように、観察される。また、位置決めピン４３の根元に凹部４３Ｂが形成されているため、図９Ａ及び図９Ｂに示される通り、位置決め穴２３の開口部の縁と、位置決めピン４３の根元の角部とが識別しやすく観察される（図５Ａも参照）。
【００６９】
次に、画像処理装置（コンピュータ）が観察画像を画像処理する（Ｓ００４）。ここでは、画像処理装置は、観察画像に対して輪郭抽出処理を行い、位置決め穴２３の開口部の縁の輪郭と、位置決めピン４３の根元の角部の輪郭を抽出する。
【００７０】
図１２Ａは、図９Ａの観察画像の輪郭抽出画像であり、正常時の輪郭抽出画像である。図１２Ｂは、図９Ｂの観察画像の輪郭抽出画像であり、異常時の輪郭抽出画像である。図中の内側の輪郭線は、位置決め穴２３の開口部の縁を示している。図中の外側の輪郭線は、位置決めピン４３の根元の角部を示している。
【００７１】
位置決めピン４３がテーパ面４３Ａを有するため、テーパ面４３Ａを有する位置決めピン４３の根元の径が、位置決め穴２３の開口径よりも大きい。この結果、位置決めピン４３の根元の角部を示す輪郭線が、位置決め穴２３の開口部の縁を示す輪郭線の外側に表れる。つまり、２つの輪郭線が識別しやすくなる。
【００７２】
更に、位置決めピン４３の根元に凹部４３Ｂが形成されていることによって、テーパ面４３Ａを有する位置決めピン４３の根元の径と、位置決め穴２３の開口径との差が大きくなる。この結果、図１２Ａ及び図１２Ｂに示される通り、２つの輪郭線の間隔が広がり、２つの輪郭線が更に識別しやすくなる。
【００７３】
次に、位置決め穴２３における位置決めピン４３の挿入状態を検査する（Ｓ００５）。位置決めピン４３の挿入状態が正常であれば、図１２Ａに示すように、２つの輪郭線はほぼ同心円状になり、２つの輪郭線の間隔はほぼ均等になる。これに対し、位置決めピン４３の挿入状態が異常であれば、図１２Ｂに示すように、２つの輪郭線の間隔に広狭ができる。このため、Ｓ００５では、２つの輪郭線の間隔が均等か否かに応じて、位置決めピン４３の挿入状態を検査する。なお、この検査作業は、作業者が目視で行っても良いし、画像処理装置（コンピュータ）が輪郭抽出画像に基づいて行っても良い。
【００７４】
位置決めピン４３の挿入状態が異常であれば、ガラス基板２０と光路変換器４０との位置決めをやり直す（Ｓ００２に戻る）。位置決めピン４３の挿入状態が正常であれば、ガラス基板２０に対して光路変換器４０を固定する（Ｓ００６）。
【００７５】
図１３は、光路変換器４０の固定方法の説明図である。
作業者又は組み立て機は、図に示すように、回路基板１０と光路変換器４０との間に接着剤６５として紫外線硬化樹脂を塗布し、紫外線硬化樹脂に紫外線を照射し、接着剤６５を硬化させる。つまり、光路変換器４０は、回路基板１０に接着剤６５で固定されることによって、間接的にガラス基板２０に対して固定される。但し、別の固定方法を採用して、光路変換器４０をガラス基板２０に直接的に固定しても良い。
【００７６】
最後に、光モジュール１の品質検査が行われる（Ｓ００７）。例えば、光モジュール１に信号を出力させ、出力信号の正否が検査される。仮にガラス基板２０と光路変換器４０との位置決め精度が悪いと、出力信号が異常になり光モジュール１が不良品になってしまう。これに対し、本実施形態では、ガラス基板２０越しに位置決め穴２３を観察し（Ｓ００３）、位置決めピン４３の挿入状態を確認した上で光モジュール１が製造されているため、不良率が低くなる（歩留まりが高くなる）。
【００７７】
なお、光モジュール１が不良品の場合にガラス基板２０と光路変換器４０との位置決めをやり直す場合、これまでの組み立て工程が無駄になってしまうが、本実施形態では歩留まりが高くなるため、このような無駄を軽減できる。また、本実施形態では歩留まりが高くなるため、ガラス基板２０と光路変換器４０との位置決めをやり直すために接着剤６５を剥がすことも少なくなる。
【００７８】
上記の第１実施形態によれば、ガラス基板２０の位置決め穴２３に光路変換器４０の位置決めピン４０を挿入してガラス基板２０と光路変換器４０とを位置決めした後（Ｓ００２）、ガラス基板２０の上側（位置決め穴のある面とは反対側）からガラス基板２０越しに位置決め穴２３をカメラで観察している。これにより、位置決めピン４３の挿入状態（嵌合状態）を検査することが可能になる。
【００７９】
また、第１実施形態によれば、位置決めピン４３がテーパ面４３Ａを有するため、テーパ面４３Ａを有する位置決めピン４３の根元の径が、位置決め穴２３の開口径よりも大きくなる。この結果、位置決めピン４３の根元の角部が位置決め穴２３の開口部の縁よりも外側に位置するように観察されるので、観察画像に基づいて位置決めピン４３の挿入状態を検査しやすくなる。
【００８０】
更に、第１実施形態によれば、位置決めピン４３の根元に凹部４３Ｂが形成されているため、テーパ面４３Ａを有する位置決めピン４３の根元の径と、位置決め穴２３の開口径との差が大きくなる。この結果、更に挿入状態を検査しやすくなる。
【００８１】
＝＝＝第２実施形態＝＝＝
図１４は、第２実施形態の光モジュール１の製造方法のフロー図である。
まず、光モジュール１を構成する部品を準備する（Ｓ１０１）。第１実施形態と同様に、準備する部品は、ガラス基板２０を上面に搭載した回路基板１０と、光路変換器４０である。
【００８２】
次に、ガラス基板２０の上側（位置決め穴２３のある面とは反対側）からガラス基板２０越しに位置決め穴２３を観察し、観察画像の解析結果に基づいて位置決め穴２３に対して位置決めピン４３を前後方向及び左右方向（ガラス基板２０の下面と平行な方向）に位置合わせする（Ｓ１０２）。これにより、ガラス基板２０と光路変換器４０とが前後方向及び左右方向に位置合わせされる。
【００８３】
図１５Ａは、Ｓ１０２での観察の様子の説明図である。第２実施形態では、位置決め穴２３に位置決めピン４３を挿入する前に、ガラス基板２０越しに位置決め穴２３が観察されることになる。カメラの焦点面は、位置決め穴２３に挿入する前の位置決めピン４３の頂部の近傍に合わせられる。
【００８４】
図１５Ｂは、第２実施形態の位置決めピン４３の説明図である。第２実施形態の位置決めピン４３の頂部には、アライメントマーク４４が形成されている。第２実施形態では、組み立て機は、位置決めピン４３を位置決め穴２３の開口部の近傍に配置した後、ガラス基板２０越しに位置決め穴２３の開口部の縁と位置決めピン４３のアライメントマーク４４とをカメラで観察する。組み立て機の画像処理装置は、観察画像に基づいて、位置決め穴２３の開口部の縁の位置と、位置決めピン４３のアライメントマーク４４の位置とを算出する。そして、組み立て機は、その算出結果に基づいて、位置決め穴２３に対して位置決めピン４３を位置合わせする。
【００８５】
次に、組み立て機は、ガラス基板２０の位置決め穴２３に光路変換器４０の位置決めピン４３を挿入することによって、ガラス基板２０と光路変換器４０とを位置決めする（Ｓ１０３）。第２実施形態では、Ｓ１０２において位置決め穴２３と位置決めピン４３とを予め位置合わせした状態で、位置決め穴２３に位置決めピン４３を挿入することになる。これにより、位置決め穴２３に位置決めピン４３が正常に挿入され、ガラス基板２０と光路変換器４０との位置決め精度が高くなる。
【００８６】
また、予め位置合わせした状態で位置決め穴２３に位置決めピン４３を挿入すると、以下に説明するように、位置決め部材（位置決め穴２３や位置決めピン４３）が損傷しにくくなり、また、位置決め部材から摩耗粉が発生しにくくなるという効果も得られる。
図１６Ａ及び図１６Ｂは、位置合わせしない状態で位置決め穴２３に位置決めピン４３を挿入した場合の比較例の説明図である。位置決め穴２３と位置決めピン４３とを位置合わせしない状態では、位置決め穴２３の中心軸に対して位置決めピン４３の中心軸がずれている（図１６Ａ参照）。このような状態で位置決め穴２３に位置決めピン４３を挿入すると、位置決め穴２３の縁に位置決めピン４３が接触し、位置決め部材（位置決め穴２３及び位置決めピン）が損傷するおそれがある。特に、テーパ面４３Ａを有する樹脂製の位置決めピン４３をガラス基板２０の位置決め穴２３に挿入すると、樹脂製のテーパ面４３Ａがガラスのエッジ（位置決め穴２３の縁）で削られて、位置決めピン４３のテーパ面４３Ａが摩耗し（図１６Ｂ参照）、この結果、摩耗粉が発生するおそれがある。これに対し、第２実施形態では、予め位置合わせした状態で位置決め穴２３に位置決めピン４３を挿入するため、位置決め部材（位置決め穴２３や位置決めピン４３）が損傷しにくくなり、また、位置決め部材から摩耗粉が発生しにくくなる。
【００８７】
Ｓ１０３の後、ガラス基板２０に対して光路変換器４０を固定し（Ｓ１０４）、光モジュール１の品質検査が行われる（Ｓ１０５）。これらの処理は、第１実施形態のＳ００６及びＳ００７と同様であるので、説明を省略する。なお、第２実施形態では、予め位置合わせした状態で位置決め穴２３に位置決めピン４３を挿入するため、ガラス基板２０と光路変換器４０との位置決め精度が高く、不良率が低くなる。
【００８８】
上記の第２実施形態によれば、ガラス基板２０の位置決め穴２３に光路変換器４０の位置決めピン４０を挿入する前に、ガラス基板２０の上側からガラス基板２０越しに位置決め穴２３をカメラで観察している。これにより、位置決め穴２３と位置決めピン４３とをガラス基板２０の下面に平行な方向に予め位置合わせした状態で、位置決め穴２３に位置決めピン４３を挿入することが可能になる。
【００８９】
また、第２実施形態によれば、位置決めピン４３の頂部にアライメントマーク４４が形成されている。このため、アライメントマーク４４に基づいて位置決めピン４３の位置を検出できるので、位置決め穴２３と位置決めピン４３との位置合わせが容易になる。
【００９０】
＝＝＝第３実施形態＝＝＝
図１７は、第３実施形態の光モジュール１の製造方法のフロー図である。
第３実施形態では、まず、ガラス基板２０の検査装置が、ガラス基板２０の上側（位置決め穴２３のある面とは反対側）からガラス基板２０越しに位置決め穴２３を観察し、ガラス基板２０の品質を検査する（Ｓ２０１）。この検査作業は、作業者が目視で行っても良いが、ここでは画像処理装置（コンピュータ）が観察画像を解析して検査を行うこととする。
【００９１】
画像処理装置は、観察画像に基づいて、ガラス基板２０の上面の配線２７（メタルパターン）の位置と、ガラス基板２０の下面の位置決め穴２３の位置とを検出し、両者の位置ずれ量を算出し、位置ずれ量に基づいてガラス基板２０の品質を判断する。位置ずれ量の大きなガラス基板２０は、ガラス基板２０の上面に実装された発光部３１の光軸と、位置決め穴２３によって位置決めされる光路変換器４０のレンズ部４１の光軸がずれてしまうため、不良品と判断される。
【００９２】
図１８は、Ｓ２０１での観察の様子の説明図である。第３実施形態では、観察対象はガラス基板２０であり、観察対象に光路変換器４０は含まれていない。観察時のガラス基板２０は、回路基板１０に搭載されていても良いし、未だ回路基板１０に搭載されていなくても良い。また、図中のガラス基板２０の上面には発光部３１が実装されているが、観察時のガラス基板２０に発光部３１が未だ実装されていなくても良い。ガラス基板２０の上面には、メタルパターンによる配線２７と、メタルパターンを保護するための保護膜２８が形成されている。
【００９３】
図１９は、Ｓ２０１の観察画像（写真）である。図２０は、図１９の観察画像の説明図である。図中のハッチングは、メタルパターンの領域を示している。
【００９４】
ガラス基板の上面にはグランドパターン（又は電源パターン）が形成されており、ここでは、観察領域の大部分の領域（位置決め穴２３の上方を除く領域）をグランドパターンが占めている。但し、位置決め穴２３の上方の領域（搭載面における位置決め穴２３の裏側の領域；位置決め穴２３と対向する搭載面の領域）にはメタルパターンによる配線２７は形成されていない。このため、ガラス基板２０の上側からガラス基板２０越しに位置決め穴２３が観察されている。画像処理装置は、観察画像に基づいて、ガラス基板２０の上面のメタルパターンの位置と、ガラス基板２０の下面の位置決め穴２３の位置とを解析し、両者の位置ずれ量を算出する。
【００９５】
本実施形態では、ガラス基板２０の上面には、アライメントマーク２７Ａが形成されている。アライメントマーク２７Ａはメタルパターンによって形成されているため、アライメントマーク２７Ａの位置に基づいて、ガラス基板２０の上面の配線２７の位置を検査することが可能である。但し、アライメントマーク２７Ａを形成せずに、観察画像の中の配線２７の画像に基づいてガラス基板２０の上面の配線２７の位置を直接検出しても良い。
【００９６】
アライメントマーク２７Ａを位置決め穴２３の開口径よりも小さくすることによって、位置決め穴２３の上方の領域（配線２７の形成されていない領域）にアライメントマーク２７Ａを形成することが可能になる。位置決め穴２３の上方にアライメントマーク２７Ａを形成することによって、位置決め穴２３を観察しつつ、アライメントマーク２７Ａ（メタルパターン）を観察することが容易になる。但し、アライメントマーク２７Ａを位置決め穴２３の上方とは別の場所に形成しても良い。
【００９７】
本実施形態では、ガラス基板２０は、アライメントマーク２７Ａが位置決め穴２３の中心軸上になるように、設計されている。図１９のような観察画像の場合、ガラス基板２０の上面のアライメントマーク２７Ａが下面の位置決め穴２３の開口部の中心に位置しているので、ガラス基板２０は正常であると判断される。
【００９８】
次に、光モジュール１を構成する部品を準備する（Ｓ２０２）。準備する部品は、Ｓ２０１の品質検査をパスしたガラス基板２０を上面に搭載した回路基板１０と、光路変換器４０である。そして、ガラス基板２０の位置決め穴２３に光路変換器４０の位置決めピン４３を挿入することによって、ガラス基板２０と光路変換器４０とを位置決めし（Ｓ２０３）、ガラス基板２０に対して光路変換器４０を固定する（Ｓ２０４）。これらの処理は、既に説明した処理と同様である。
【００９９】
最後に、光モジュール１の品質検査が行われる（Ｓ２０５）。第３実施形態では、Ｓ２０１の検査をパスしたガラス基板２０を用いて光モジュール１が構成されるため、光モジュール１の不良率が低くなる。
【０１００】
上記の第３実施形態によれば、光路変換器４０のない状態で、ガラス基板２０の上側からガラス基板２０越しに位置決め穴２３をカメラで観察している。第３実施形態によれば、観察画像に基づいてガラス基板２０の下面の位置決め穴２３の位置を検査して、ガラス基板２０の品質を検査することが可能になる。
【０１０１】
また、第３実施形態によれば、ガラス基板２０の上側からガラス基板２０越しに位置決め穴２３をカメラで観察するときに、ガラス基板２０の上面のメタルパターンも観察している。これにより、観察画像に基づいて、ガラス基板２０の上面のメタルパターンと、ガラス基板２０の下面の位置決め穴２３との位置関係を検査することが可能になる。
【０１０２】
また、第３実施形態によれば、メタルパターンによるアライメントマーク２７Ａが位置決め穴２３の上方に形成されている。これにより、ガラス基板２０の上面のメタルパターンの位置を検出することが容易になるとともに、位置決め穴２３の観察とともにアライメントマーク２７Ａを観察することが容易になる。
【０１０３】
＝＝＝第４実施形態＝＝＝
温度変化によって２つの位置決め穴２３の間隔と２つの位置決めピン４３の間隔がずれることがある。このような場合、位置決めピン４３が位置決め穴２３に正常に挿入されず、ガラス基板２０と光路変換器４０との間に想定以上の位置ずれが生じるおそれがある。そこで、第４実施形態では、２つの位置決め穴２３の一方を基準穴とし、他方を長穴にしている。
【０１０４】
図２１は、第４実施形態の位置決め穴の説明図である。図２１は、ガラス基板２０の下面を下から見た図である。
ガラス基板２０の下面には、基準穴２３Ａと長穴２３Ｂとが形成されている。基準穴２３Ａと長穴Ｂは、前後方向に並んで形成されている。基準穴２３Ａは、開口部が円形状の非貫通穴であり、これまでの実施形態の位置決め穴２３と同じ形状である。長穴２３Ｂは、開口部の長手方向が２つの位置決め穴（基準穴２３Ａと長穴２３Ｂ）を結ぶ線に沿っている非貫通穴である。長穴２３Ｂもサンドブラスト加工により形成されているため、奥の窄まった形状になっている。長穴２３Ｂの幅は、基準穴２３Ａの径と同じ長さである。なお、基準穴２３Ａ及び長穴２３Ｂに挿入される２つの位置決めピン４３は、前述の実施形態の位置決めピン４３と同じ形状である（つまり、２つの位置決めピン４３とも円錐台形状である）。
【０１０５】
光路変換器４０の２つの位置決めピン４３の一方は基準穴２３Ａに挿入され、他方は長穴２３Ｂに挿入されることになる。基準穴２３Ａの側では、位置決めピン４３は、基準穴２３Ａに対して、位置決めピン４３の軸方向に垂直な前後方向及び左右方向（ガラス基板２０の表面と平行な方向）に拘束されることになる。一方、長穴２３Ｂの側では、位置決めピン４３は、長穴２３Ｂによって左右方向からは拘束されるが、前後方向からは拘束されないことになる。このため、温度変化等の影響により、２つの位置決め穴２３の間隔や２つの位置決めピン４３の間隔が変化しても、２つの位置決めピン４３を基準穴２３Ａ及び長穴２３Ｂに挿入し、ガラス基板２０に対して光路変換器４０を位置決めすることが可能になる。
【０１０６】
ガラス基板２０の下面に基準穴２３Ａと長穴２３Ｂを形成する場合であって、ガラス基板２０越しに一方の位置決め穴だけを観察する場合には、前後方向及び左右方向の両方向の位置決め精度に寄与する基準穴２３Ａを観察することが望ましい。例えば、図３に示すように後側の位置決め穴２３が上方の駆動素子３２に阻まれて上側からガラス基板２０越しに観察できない場合には、後側に長穴２３Ｂを配置し、前側に基準穴２３Ａを配置し、基準穴２３Ａをガラス基板２０越しに上側から観察すると良い。この場合、長穴２３Ｂの上方には、メタルパターンによる配線２７を形成しても良いし、発光部３１や駆動素子３２等の実装部品を配置しても良い。
【０１０７】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。特に、以下に述べる形態であっても、本発明に含まれる。
【０１０８】
＜位置決め穴と位置決めピン＞
前述の位置決め穴２３は、サンドブラスト加工により形成された奥の窄まった非貫通穴であったが、他の加工方法によって形成された位置決め穴でも良く、他の形状の位置決め穴でも良い。例えば、位置決め穴２３がドリル加工により形成され径が一定の寸胴形状の穴であっても良い。
前述の位置決めピン４３は、テーパ面４３Ａを有する円錐台形状であったが、他の形状でも良い。例えば、位置決めピンは、円錐形状でも良いし、径が一定の寸胴形状でも良い。但し、既に説明したように、位置決めピンがテーパ面を有する場合、上側から見たときに、位置決めピン４３の根元の角部が位置決め穴２３の開口部の縁よりも外側に位置するので、両者を識別しやすくなる。
【０１０９】
＜光路変換器について＞
前述の実施形態では、光路変換器（光学部品）は樹脂製であった。但し、位置決めピンを有する光学部品は、樹脂製でなくても良い。
【０１１０】
＜光モジュールについて＞
前述の実施形態では、ＱＳＦＰタイプの光モジュールを用いて説明したが、このタイプに限定されるものではない。他のタイプ（例えばＣＸＰタイプやＳＦＰタイプなど）の光モジュールに適用することも可能である。
【符号の説明】
【０１１１】
１  光モジュール、１Ａ  ハウジング、
２  ケージ、２Ａ  コネクタ、３  ヒートシンク、
１０  回路基板、１１  接続部、
１２  収容窓、１３  回路基板側電極、
２０  ガラス基板（透明基板）、２１  貫通ビア、
２２  ガラス基板側電極、２３  位置決め穴、
２３Ａ  基準穴、２３Ｂ  長穴、
２７  配線、２７Ａ  アライメントマーク、２８  保護膜、
３１  発光部、３１Ａ  発光部側電極、３１Ｂ  発光面、３２  駆動素子、
４０  光路変換器（支持部材）、４１  レンズ部、４２  反射部、
４３  位置決めピン、４３Ａ  テーパ面、４３Ｂ  凹部、
４４  アライメントマーク、
５０  光ファイバ、６５  接着剤
【図１】
2014228585.tif 000003
【図２】
2014228585.tif 000004
【図３】
2014228585.tif 000005
【図４】
2014228585.tif 000006
【図５】
2014228585.tif 000007
【図６】
2014228585.tif 000008
【図７】
2014228585.tif 000009
【図８】
2014228585.tif 000010
【図１１】
2014228585.tif 000011
【図１２】
2014228585.tif 000012
【図１３】
2014228585.tif 000013
【図１４】
2014228585.tif 000014
【図１５】
2014228585.tif 000015
【図１６】
2014228585.tif 000016
【図１７】
2014228585.tif 000017
【図１８】
2014228585.tif 000018
【図２１】
2014228585.tif 000019
【図９】
2014228585.tif 000020
【図１０】
2014228585.tif 000021
【図１９】
2014228585.tif 000022
【図２０】
2014228585.tif 000023